(57)【要約】【課題】  遊技機において、樹脂製の遊技盤の変形を防止するとともに遊技機本体に対する遊技盤の固定を安定化させる。【解決手段】  多数の障害物ならびに入賞装置を含む遊技部材５ｂが配置された樹脂製の遊技盤５ａと、遊技盤５ａの各辺に沿って枠状に配置され、遊技盤５ａの変形を防止する補強部材１１と、補強部材１１に設けられた遊技盤側係合部１３ａ，１３ｂと、遊技盤側係合部１３ａ，１３ｂと係合する本体側係合部１５ａ，１５ｂが設けられ、遊技盤側係合部１３ａ，１３ｂと本体側係合部１５ａ，１５ｂとが係合して遊技盤５ａが着脱可能に固定される遊技機本体２とを有する構造の遊技機とする。【選択図】        図５
2006034642.tif 000002
【特許請求の範囲】
【請求項１】
多数の障害物ならびに入賞装置を含む遊技部材が配置された樹脂製の遊技盤と、
前記遊技盤の少なくとも１辺に沿って配置され、前記遊技盤の変形を防止する補強部材と、
前記補強部材に設けられた遊技盤側係合部と、
前記遊技盤側係合部と係合する本体側係合部が設けられ、前記遊技盤側係合部と前記本体側係合部とが係合して前記遊技盤が着脱可能に固定される遊技機本体と、
を有することを特徴とする遊技機。
【請求項２】
前記補強部材は、前記遊技盤の表面に設けられていることを特徴とする請求項１記載の遊技機。
【請求項３】
前記補強部材は、前記遊技盤を挟んで当該遊技盤の両面に設けられていることを特徴とする請求項１記載の遊技機。
【請求項４】
前記補強部材は、枠状に形成されていることを特徴とする請求項１、２または３記載の遊技機。
【請求項５】
前記遊技盤側係合部は、
前記遊技盤の上部に形成され、前記遊技盤と前記補強部材とを貫通した孔である第１の遊技盤側係合部と、
前記遊技盤の下部に形成され、前方に突出するように湾曲して下方向に開口した第２の遊技盤側係合部とからなり、
前記本体側係合部は、
前方に突出して前記第１の遊技盤側係合部を貫通可能に設けられ、螺合した第１のナットにより前記遊技盤を挟持するネジである第１の本体側係合部と、
横方向に突出して前記第２の遊技盤側係合部を支持する棒状部材である第２の本体側係合部とからなり、
前記遊技盤は、前記第２の本体側係合部を支点にして前後に揺動可能になっていることを特徴とする請求項１〜４の何れか一項に記載の遊技機。
【請求項６】
前記第１の遊技盤側係合部は横方向に延びた長孔であり、
前記第２の本体側係合部にはネジ溝が形成されて第２のナットが螺合され、
前記遊技盤は、前記第２の遊技盤側係合部に接して前記第２の本体側係合部に螺合した前記第２のナットにより横方向位置が調整可能に規制されることを特徴とする請求項５記載の遊技機。
【発明の詳細な説明】
【技術分野】
【０００１】
本発明は遊技機に関し、特に遊技機における遊技盤と遊技機本体との取り付け構造に関するものである。
【背景技術】
【０００２】
遊技機、特にパチンコ遊技機においては、パチンコ遊技の興趣を高め、遊技者を飽きさせないように各種の役物や表示装置等に工夫を凝らした遊技盤が使用されている。そして、遊技盤を新規なものに容易に入れ替えできるように、遊技盤を遊技機本体に対して着脱可能にしたものが多用されている。このようなパチンコ遊技機は、遊技機本体の前面に遊技盤を取り付けるようになっており、遊技機本体の裏面側に、遊技動作の制御を行う制御基板等が設置されている。
【０００３】
そして、今日では、例えば特開２００１−１７６２９号公報に記載されているように、このような遊技盤を樹脂により形成したものが提案されている。
【特許文献１】特開２００１−１７６２９号公報
【発明の開示】
【発明が解決しようとする課題】
【０００４】
しかしながら、遊技盤を樹脂製とした場合には、熱や外力による変形、あるいは経時変化や衝撃などにより、遊技機本体に対する遊技盤の固定が不安定になる。
【０００５】
これにより、遊技盤の取り付け信頼性が損なわれたり、遊技球の流下状態が大きく変化してしまうことがある。
【０００６】
そこで、本発明は、樹脂製の遊技盤の変形を防止するとともに遊技機本体に対する遊技盤の固定を安定化させることのできる遊技機を提供することを目的とする。
【課題を解決するための手段】
【０００７】
上記課題を解決するため、本発明に係る遊技機は、多数の障害物ならびに入賞装置を含む遊技部材が配置された樹脂製の遊技盤と、遊技盤の少なくとも１辺に沿って配置され、遊技盤の変形を防止する補強部材と、補強部材に設けられた遊技盤側係合部と、遊技盤側係合部と係合する本体側係合部が設けられ、遊技盤側係合部と本体側係合部とが係合して遊技盤が着脱可能に固定される遊技機本体と、を有することを特徴とする。
【０００８】
このようにすれば、補強部材により、樹脂製の遊技盤に発生しやすい熱や外力による変形、経時変化による変形が強制的に押さえ込まれるとともに、衝撃による変形が防止される。よって、このような補強部材に遊技盤側係合部を設けてこれを本体側係合部と係合させることにより補強部材を介して遊技盤が遊技機本体に固定されるので、樹脂製の遊技盤の変形が防止され、さらに遊技機本体に対する遊技盤の固定を安定化させることが可能になる。
【０００９】
本発明の好ましい形態において、補強部材は、遊技盤の表面に設けられていることを特徴とする。
【００１０】
これにより、組み立てやメンテナンス時において、遊技盤の表面が損傷するのを防止することが可能になる。
【００１１】
本発明のさらに好ましい形態において、補強部材は、遊技盤を挟んで当該遊技盤の両面に設けられていることを特徴とする。
【００１２】
これにより、遊技盤の変形を一層確実に防止することが可能になる。
【００１３】
本発明のさらに好ましい形態において、補強部材は枠状に形成されていることを特徴とする。
【００１４】
これにより、あらゆる方向に対する遊技盤の変形を防止することが可能になる。
【００１５】
本発明のさらに好ましい形態において、遊技盤側係合部は、遊技盤の上部に形成され、遊技盤と補強部材とを貫通した孔である第１の遊技盤側係合部と、遊技盤の下部に形成され、前方に突出するように湾曲して下方向に開口した第２の遊技盤側係合部とからなり、本体側係合部は、前方に突出して第１の遊技盤側係合部を貫通可能に設けられ、螺合した第１のナットにより遊技盤を挟持するネジである第１の本体側係合部と、横方向に突出して第２の遊技盤側係合部を支持する棒状部材である第２の本体側係合部とからなり、遊技盤は、第２の本体側係合部を支点にして前後に揺動可能になっていることを特徴とする。
【００１６】
これにより、遊技盤の傾斜角を容易に調整することが可能になる。
【００１７】
本発明のさらに好ましい形態において、第１の遊技盤側係合部は横方向に延びた長孔であり、第２の本体側係合部にはネジ溝が形成されて第２のナットが螺合され、遊技盤は、第２の遊技盤側係合部に接して第２の本体側係合部に螺合した第２のナットにより横方向位置が調整可能に規制されることを特徴とする。
【００１８】
これにより、遊技機本体に対する遊技盤の左右位置を容易に調整することが可能になる。
【発明の効果】
【００１９】
本発明によれば以下の効果を奏することができる。
【００２０】
すなわち、本発明によれば、補強部材により、樹脂製の遊技盤に発生しやすい熱や外力による変形、経時変化による変形が強制的に押さえ込まれるとともに、衝撃による変形が防止される。よって、補強部材に遊技盤側係合部を設けてこれを本体側係合部と係合させることにより補強部材を介して遊技盤が遊技機本体に固定されるので、樹脂製の遊技盤の変形が防止され、さらに遊技機本体に対する遊技盤の固定を安定化させることが可能になる。
【００２１】
したがって、遊技領域を流下する遊技球の流下状態の変化が防止され、遊技者に安定した遊技環境を提供することができる。
【００２２】
また、遊技盤の表面に補強部材を設けることにより、組み立てやメンテナンス時において、遊技盤の表面が損傷するのを防止することができる。
【００２３】
さらに、遊技盤を挟んで遊技盤の両面に補強部材を設けることにより、遊技盤の変形を一層確実に防止することができる。
【００２４】
さらに、補強部材を枠状に形成することにより、あらゆる方向に対する遊技盤の変形を防止することができる。
【００２５】
さらに、遊技盤を前後に揺動可能にすることにより、遊技盤の傾斜角を容易に調整することができる。
【００２６】
そして、遊技盤の横方向位置を調整可能にすることにより、遊技機本体に対する遊技盤の左右位置を容易に調整することができる。
【発明を実施するための最良の形態】
【００２７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２８】
図１は本発明の一実施の形態であるパチンコ遊技機を示す斜視図、図２は図１のパチンコ遊技機において前面枠を開いて示す分解斜視図、図３は図１のパチンコ遊技機に備えられた遊技盤を示す斜視図、図４は図３の遊技盤を遊技部材を除去して示す正面図、図５（ａ）は遊技盤の上部における遊技盤側係合部と本体側係合部とを示す斜視図、図５（ｂ）は遊技盤の下部における遊技盤側係合部と本体側係合部とを示す斜視図、図６は図５（ｂ）の正面図、図７は遊技盤の上下における遊技盤側係合部と本体側係合部とを示す断面図である。
【００２９】
図１および図２に示すように、パチンコ遊技機（遊技機）１は、遊技機本体２に前面枠３が開閉可能に取り付けられている。前面枠３には透明なガラス板９が取り付けられており、その裏面側には遊技盤５ａがこのガラス板９を通して視認可能に、且つ遊技機本体２に対して着脱可能に装着されている。なお、遊技盤５ａの取り付け構造については後述する。
【００３０】
遊技盤５ａには、多数の遊技くぎや風車などの障害物や入賞装置等からなる遊技部材５ｂが前面枠３に包囲された領域に配置されており、発射された遊技球が打ち込まれて流下する遊技領域５ｃがある。
【００３１】
遊技盤５ａの下方には、払い出された遊技球および遊技領域５ｃに打ち込まれる遊技球が貯留される上皿６ａが配置され、上皿６ａの下方には、払い出しにより上皿６ａからオーバーフローした遊技球が貯留される下皿６ｂが配置されている。また、上皿６ａの下方右側には、レール７を介して遊技盤５ａの遊技領域５ｃへ遊技球を打ち込む際に回動操作されるハンドル８が設けられている。
【００３２】
また、遊技領域５ｃの周囲に位置する前面枠３には、その上部の左右にスピーカ４ａ，４ｂがそれぞれ配置されている。
【００３３】
遊技盤５ａは、たとえばポリカーボネートなど透光性を有する樹脂からなり、このような遊技盤５ａの背後には、例えば液晶ディスプレイ、ＣＲＴ（陰極線管）あるいはプラズマディスプレイ等からなり、画像信号入力に基づいて任意の画像を表示する図柄表示部（表示装置）１０が、透光性を有する遊技盤５ａを通して視認可能に配置されている。また、遊技くぎを除く遊技部材もまた、遊技盤５ａに合わせて透光性部材で形成されている。
【００３４】
但し、遊技盤５ａはポリカーボネート以外の樹脂であってもよく、また透光性を有していなくてもよい。なお、遊技盤５ａが透光性を有していない場合には、図柄表示部１０は遊技盤５ａに開口された表示窓を介して視認可能に配置される。
【００３５】
図３および図４に詳しく示すように、四角形の遊技盤５ａの各辺に沿って、例えば金属のように剛性を有する枠状の補強部材１１が両面に配置されている。この補強部材１１は各辺２箇所および左右の下隅部の１０箇所がネジ１２で固定されて遊技盤５ａを挟んでおり、補強部材１１の厚み分だけ遊技盤５ａから出っ張っている。なお、図３の遊技盤５ａを遊技部材５ｂを除去して示す図４では、遊技部材５ｂを取り付けるための取り付け孔５ａ−１が示されている。
【００３６】
ここで、補強部材１１は遊技盤５ａの少なくとも１辺に沿って配置されていればよく、したがって本実施の形態のような枠状ではなくてもよい。また、補強部材１１は遊技盤５ａの表面のみに設け、裏面にはなくてもよい。さらに、補強部材１１は、遊技盤５ａ内に埋没させて出っ張りをなくしてもよい。
【００３７】
補強部材１１には遊技盤側係合部１３ａ，１３ｂが設けられている。この遊技盤側係合部は、遊技盤５ａの上部の左右２箇所に形成された第１の遊技盤側係合部１３ａと、下部の左右２箇所に形成された第２の遊技盤側係合部１３ｂとからなる。
【００３８】
図５および図７に示すように、第１の遊技盤側係合部１３ａは、遊技盤５ａと補強部材１１とを貫通して横方向に延びた長孔であり、リベットなどのような金属製の口金１４が、遊技盤５ａの両面に設けられた補強部材１１をかしめるようにして嵌め込まれている。このような口金１４は補強部材１１を遊技盤５ａに固定するように機能しており、前述したネジ１２と相俟って、補強部材１１の全体がバランスよく遊技盤５ａに固定されている。なお、第１の遊技盤側係合部は長孔ではなく、円形の孔であってもよい。
【００３９】
また、第２の遊技盤側係合部１３ｂは、補強部材１１から延展して形成されており、前方に突出するように円弧状に湾曲して下方向に開口している。
【００４０】
遊技機本体２には、このような遊技盤側係合部１３ａ，１３ｂと係合する本体側係合部１５ａ，１５ｂが設けられ、遊技盤側係合部１３ａ，１３ｂと本体側係合部１５ａ，１５ｂとが係合して遊技盤５ａが遊技機本体２に着脱可能に固定される。
【００４１】
すなわち、本体側係合部は、前方に突出して第１の遊技盤側係合部１３ａを貫通可能に設けられた第１の本体側係合部１５ａと、横方向に突出して第２の遊技盤側係合部１３ｂを支持する第２の本体側係合部１５ｂとからなる。
【００４２】
図示するように、第１の本体側係合部１５ａはネジであり、螺合した前後位置調整用ナット（第１のナット）１６ａにより前後から遊技盤５ａを挟持している。また、第２の本体側係合部１５ｂは棒状部材であり、前述のように第２の遊技盤側係合部１３ｂを支持することによって、遊技盤５ａはこの第２の本体側係合部１５ｂを支点にして前後に揺動可能になっている。したがって、前後位置調整用ナット１６ａによる遊技盤５ａを挟持する位置を変えることにより、遊技盤５ａが所望の傾斜角度に調節される。
【００４３】
また、棒状部材である第２の本体側係合部１５ｂの外周にはネジ溝が形成されて横位置調整用ナット（第２のナット）１６ｂが螺合されている。前述したように、第１の遊技盤側係合部１３ａは長孔であることから、遊技盤５ａは第２の遊技盤側係合部１３ｂが第２の本体側係合部１５ｂと摺動して、その長孔の長さだけ横方向に移動できるとともに、２箇所に設けられた第２の遊技盤側係合部１３ｂの一端側に接して第２の本体側係合部１５ｂに螺合した横位置調整用ナット１６ｂの位置により横方向の移動が規制される。つまり、遊技盤５ａは横位置調整用ナット１６ｂにより横方向位置が調整可能に規制される。
【００４４】
ここで、横位置調整用ナット１６ｂにより遊技盤５ａが横方向に動かないようにするためには、遊技盤５ａに向かって左側に位置する横位置調整用ナット１６ｂが第２の遊技盤側係合部１３ｂの左端側に接するようにした場合には、遊技盤５ａに向かって右側に位置する横位置調整用ナット１６ｂは第２の遊技盤側係合部１３ｂの右端側に接するようにする。
【００４５】
また、遊技盤５ａに向かって左側に位置する横位置調整用ナット１６ｂが第２の遊技盤側係合部１３ｂの右端側に接するようにした場合には、遊技盤５ａに向かって右側に位置する横位置調整用ナット１６ｂは第２の遊技盤側係合部１３ｂの左端側に接するようにする。
【００４６】
あるいは、２つの横位置調整用ナット１６ｂで一方の第２の遊技盤側係合部１３ｂを挟むようにしてもよい。この場合には、他方の第２の遊技盤側係合部１３ｂには横位置調整用ナット１６ｂを螺合する必要はないので、ネジ溝は不要になる。
【００４７】
なお、遊技盤５ａに取り付けられた補強部材１１に設けられた遊技盤側係合部および遊技機本体２に設けられた本体側係合部は、両者が相互に係合するようになっていれば足り、以上に説明した構成に限定されるものではない。例えば、遊技盤５ａを前後に揺動可能にするが、横方向には移動はできないようにして、その傾斜角のみを調整できるようにしたり、逆に、遊技盤５ａを横方向に移動可能にするが、前後の揺動はできないようにして、その横方向位置のみを調整できるようにしてもよい。
【００４８】
このように本実施の形態のパチンコ遊技機１によれば、補強部材１１により、樹脂製の遊技盤５ａに発生しやすい熱や外力による変形、経時変化による変形が強制的に押さえ込まれるとともに、衝撃による変形が防止される。したがって、このような補強部材１１に遊技盤側係合部１３ａ，１３ｂを設けてこれを本体側係合部１５ａ，１５ｂと係合させることにより補強部材１１を介して遊技盤５ａが遊技機本体２に固定されるので、樹脂製の遊技盤５ａの変形が防止され、さらに遊技機本体２に対する遊技盤５ａの固定を安定化させることが可能になる。
【００４９】
これにより、遊技領域５ｃを流下する遊技球の流下状態の変化が防止され、遊技者に安定した遊技環境を提供することができる。
【００５０】
また、遊技盤５ａの表面に補強部材１１を設けることにより、組み立てやメンテナンス時において、遊技盤５ａの表面が損傷するのを防止することができる。
【００５１】
さらに、遊技盤５ａを挟んで遊技盤５ａの両面に補強部材１１を設けることにより、遊技盤５ａの変形を一層確実に防止することができる。
【００５２】
さらに、補強部材１１を枠状に形成することにより、あらゆる方向に対する遊技盤５ａの変形を防止することができる。
【００５３】
さらに、遊技盤５ａを前後に揺動可能にすることにより、遊技盤５ａの傾斜角を容易に調整することができる。
【００５４】
そして、遊技盤５ａの横方向位置を調整可能にすることにより、遊技機本体２に対する遊技盤５ａの左右位置を容易に調整することができる。
【産業上の利用可能性】
【００５５】
以上の説明においては、本発明を遊技機の一つであるパチンコ遊技機１に適用した場合が説明されているが、本発明はこれに限定されるものではなく、パチスロ機、あるいはゲームセンターに設置された各種ゲーム機など、遊技盤を備えた様々な遊技機に適用することが可能である。
【図面の簡単な説明】
【００５６】
【図１】本発明の一実施の形態であるパチンコ遊技機を示す斜視図である。
【図２】図１のパチンコ遊技機において前面枠を開いて示す分解斜視図である。
【図３】図１のパチンコ遊技機に備えられた遊技盤を示す斜視図である。
【図４】図３の遊技盤を遊技部材を除去して示す正面図である。
【図５】（ａ）は遊技盤の上部における遊技盤側係合部と本体側係合部とを示す斜視図、（ｂ）は遊技盤の下部における遊技盤側係合部と本体側係合部とを示す斜視図である。
【図６】図５（ｂ）の正面図である。
【図７】遊技盤の上下における遊技盤側係合部と本体側係合部とを示す断面図である。
【符号の説明】
【００５７】
１  パチンコ遊技機（遊技機）
２  遊技機本体
３  前面枠
４ａ，４ｂ  スピーカ
５ａ  遊技盤
５ａ−１取り付け孔
５ｂ  遊技部材
５ｃ  遊技領域
６ａ  上皿
６ｂ  下皿
７  レール
８  ハンドル
９  ガラス板
１０  図柄表示部（表示装置）
１１  補強部材
１２  ネジ
１３ａ  第１の遊技盤側係合部
１３ｂ  第２の遊技盤側係合部
１４  口金
１５ａ  第１の本体側係合部
１５ｂ  第２の本体側係合部
１６ａ  前後位置調整用ナット
１６ｂ  横位置調整用ナット
【図１】
2006034642.tif 000003
【図２】
2006034642.tif 000004
【図３】
2006034642.tif 000005
【図４】
2006034642.tif 000006
【図５】
2006034642.tif 000007
【図６】
2006034642.tif 000008
【図７】
2006034642.tif 000009